(57)【要約】【課題】第１のツマミのための指標を認識し易くする技術を提供することにある。【解決手段】二重ツマミ構造Ｅは、操作パネル３を挿通し、共通する回転軸Ｃを有する内軸１２及び外軸１３を含み、内軸１２は外軸１３よりも操作パネル３から遠くに配置されている、回動操作部品の操作軸１５と、内軸１２に回転不能に取り付けられる１６ＣＨツマミ１０と、外軸１３に回転不能に取り付けられる４ＣＨツマミ６と、操作パネル３に対して回転不能であって、回転軸Ｃの軸方向において内軸１２と外軸１３の間に配置され、内軸１２のための指標を有する１６ＣＨ指標リング７と、を備える。【選択図】図２
2018160332.tif 000002
【特許請求の範囲】
【請求項１】
操作パネルを挿通し、共通する回転軸を有する第１のシャフト及び第２のシャフトを含み、前記第１のシャフトは前記第２のシャフトよりも前記操作パネルから遠くに配置されている、回動操作部品のシャフトと、
前記第１のシャフトに回転不能に取り付けられる第１のツマミと、
前記第２のシャフトに回転不能に取り付けられる第２のツマミと、
前記操作パネルに対して回転不能であって、前記回転軸の軸方向において前記第１のツマミと前記第２のツマミの間に配置され、前記第１のツマミのための指標を有する第１の指標部と、
を備えた、
二重ツマミ構造。
【請求項２】
請求項１に記載の二重ツマミ構造であって、
前記第１の指標部は、前記操作パネルに対して着脱可能に取り付けられている、
二重ツマミ構造。
【請求項３】
請求項２に記載の二重ツマミ構造であって、
前記第１の指標部は、
前記第１のツマミのための指標が配置される環状の指標部本体と、
前記指標部本体から前記操作パネルに向かって延びると共に、前記シャフトを挟むように配置された２つの取付脚部と、
を有し、
各取付脚部は、取付脚部本体と、前記取付脚部本体の先端から径方向内方に向かって突出する取付爪部と、を有し、
前記操作パネルには、前記２つの取付爪部とそれぞれ係合可能な２つの取付係合部が形成されており、
各取付係合部は、各取付脚部に対して周方向で対向することで前記第１の指標部が前記操作パネルに対して相対的に回転するのを禁止する回転禁止部を有する、
二重ツマミ構造。
【請求項４】
請求項１から請求項３までの何れかに記載の二重ツマミ構造であって、
前記第１のツマミが前記操作パネルに対して相対的に回動可能となる角度範囲を規制する回転角度規制部を更に備え、
前記第１の指標部および前記第１のツマミ、それぞれ円弧状の回転規制溝が形成されており、
前記回転角度規制部は、前記第１の指標部と前記第１のツマミの間に配置され、前記第１のシャフトに対して回転自在に取り付けられ、前記回転規制溝のそれぞれの所定の範囲に収容される突出部を有する、
二重ツマミ構造。
【発明の詳細な説明】
【技術分野】
【０００１】
本発明は、二重ツマミ構造に関する。
【背景技術】
【０００２】
特許文献１は、録音レベル調整用の２つのツマミを同軸に備えた回転ツマミを開示している。回転ツマミが搭載されるフロントパネルには、２つのツマミに共通する指標が設けられている。
【先行技術文献】
【特許文献】
【０００３】
【特許文献１】特開平１１−２４７７５号公報
【発明の概要】
【発明が解決しようとする課題】
【０００４】
しかしながら、２つのツマミの指標を共通化できない場合、フロントパネルに２つの指標を設けなければならず、どのツマミがどの指標と対応しているのか把握し難い。
【課題を解決するための手段】
【０００５】
操作パネルを挿通し、共通する回転軸を有する第１のシャフト及び第２のシャフトを含み、前記第１のシャフトは前記第２のシャフトよりも前記操作パネルから遠くに配置されている、回動操作部品のシャフトと、前記第１のシャフトに回転不能に取り付けられる第１のツマミと、前記第２のシャフトに回転不能に取り付けられる第２のツマミと、前記操作パネルに対して回転不能であって、前記回転軸の軸方向において前記第１のツマミと前記第２のツマミの間に配置され、前記第１のツマミのための指標を有する第１の指標部と、を備えた、二重ツマミ構造が提供される。
【発明の効果】
【０００６】
前記第１のツマミのための指標が前記操作パネルに設けられる場合と比較して、前記第１のツマミのための指標が認識し易くなる。
【図面の簡単な説明】
【０００７】
【図１】携帯無線機の斜視図である。
【図２】携帯無線機の分解斜視図である。
【図３】二軸セレクタの側面図である。
【図４】４ＣＨツマミの平面図である。
【図５】１６ＣＨ指標リングの斜視図である。
【図６】１６ＣＨ指標リングの平面図である。
【図７】１６ＣＨ指標リングの側面図である。
【図８】ストッパーの斜視図である。
【図９】１６ＣＨツマミの底面図である。
【図１０】操作パネルの部分斜視図である。
【発明を実施するための形態】
【０００８】
以下、図１から図１０を参照して、携帯無線機１について説明する。
【０００９】
図１及び図２に示すように、携帯無線機１は、携帯無線機本体２と、筐体としての操作パネル３と、二重ツマミ４と、を備えている。二重ツマミ４は、操作パネル３の上面３ａに配置され、携帯無線機１を使用する使用者が回動して操作を行う回転ツマミである。
【００１０】
図２に示すように、二重ツマミ４は、二軸セレクタ５と、第２のツマミとしての４ＣＨツマミ６と、第１の指標部としての１６ＣＨ指標リング７と、回転角度規制部としてのストッパー８と、ツマミスプリング９と、第１のツマミとしての１６ＣＨツマミ１０と、を備えている。
【００１１】
以下、図２に示すように、「周方向」と言う場合は二重ツマミ４の周方向を意味し、「軸方向」と言う場合は二重ツマミ４の軸方向を意味するものとする。また、軸方向のうち上面３ａが向く方向を上方向とし、その反対を下方向と称する。また、図３および図4に示すように、「径方向」という場合には二軸セレクタ５の回転軸、つまり二重ツマミ４の回転軸と直交する方向を意味する。
【００１２】
（二軸セレクタ５）
図３に示すように、回動操作部品としての二軸セレクタ５は、セレクタ本体１１と、第１のシャフトとしての内軸１２と、第２のシャフトとしての外軸１３と、複数の端子１４と、を備えている。内軸１２及び外軸１３は、金属製であって、同軸上に配置されている。即ち、内軸１２及び外軸１３は、共通する回転軸Ｃを有する。内軸１２及び外軸１３は、シャフトとしての操作軸１５を構成している。即ち、操作軸１５は、内軸１２及び外軸１３を含む。内軸１２の外径と外軸１３の外径は等しい。内軸１２は外軸１３よりもセレクタ本体１１から遠くに配置されている。内軸１２の外周面には回転軸Ｃに沿って延びる内軸縦溝１２Ａが形成されている。内軸縦溝１２Ａは、内軸１２の両端から上方向及び下方向に開口するように形成されている。外軸１３の外周面には回転軸Ｃに沿って延びる縦溝としての２つの外軸縦溝１３Ａが形成されている。２つの外軸縦溝１３Ａは、回転軸Ｃを挟むように反対向きに形成されている。図３では、２つの外軸縦溝１３Ａのうち一方のみが見えている。各外軸縦溝１３Ａは、上方向には開口するものの、下方向には開口していない。従って、外軸１３は、２つのツマミ着座面１３Ｂを有する。各ツマミ着座面１３Ｂは、各外軸縦溝１３Ａを軸方向で区画する面である。各ツマミ着座面１３Ｂは、上方向を向く面である。なお、内軸１２は、外軸１３の径方向内方を通る中継軸を有し、中継軸を介してセレクタ本体１１に回転支持されている。本実施形態では、内軸１２は、セレクタ本体１１に対してエンドレスに回動可能に構成され、外軸１３は、セレクタ本体１１に対して所定の角度の範囲で回動可能に構成されている。以上の構成で、セレクタ本体１１に対して内軸１２が回動操作されたり、セレクタ本体１１に対して外軸１３が回動操作されると、内軸１２や外軸１３の回転角度位置に対応する複数の端子１４同士が短絡するように構成されている。従って、二軸セレクタ５は、二軸ロータリースイッチと称することもできる。
【００１３】
（４ＣＨツマミ６）
図４に示すように、４ＣＨツマミ６は、射出成形品であって、有孔ディスク状に形成されている。詳しくは、４ＣＨツマミ６は、シャフト挿入孔１６と、２つの脚部挿入孔１７と、操作部１８と、指示部１９と、を有する。シャフト挿入孔１６は、二軸セレクタ５の操作軸１５を挿入可能な孔である。４ＣＨツマミ６は、更に、シャフト挿入孔１６の内周面から回転軸Ｃに向かって突出する凸部としての２つの対向凸部２０を有する。２つの対向凸部２０は、回転軸Ｃを挟んで径方向で互いに対向するように形成されている。２つの脚部挿入孔１７は、径方向においてシャフト挿入孔１６を挟むように形成されている。各脚部挿入孔１７は、円周方向に沿って略円弧状に延びるように形成されている。操作部１８及び指示部１９は、径方向外方に突出するように形成されている。操作部１８は、ユーザーが指で４ＣＨツマミ６を回転し易くなるように、凹凸状の表面形状を有する。操作部１８と指示部１９は反対向きに形成されている。
【００１４】
（１６ＣＨ指標リング７）
図５から図７に示すように、１６ＣＨ指標リング７は、射出成形品であって、概ね有孔ディスク状に形成されている。詳しくは、１６ＣＨ指標リング７は、環状のリング本体２１と、２つの取付脚部２２と、を有する。図５に示すように、リング本体２１は、シャフト挿入孔２５と、１６ｃｈツマミ１０の回転範囲を規制するための回転規制溝２６と、指標面２７と、を有する。シャフト挿入孔２５は、二軸セレクタ５の操作軸１５を挿入可能な孔である。図５及び図６に示すように、回転規制溝２６は、リング本体２１の上面２１ａに形成されており、周方向に沿って円弧状に延びている。本実施形態において、回転規制溝２６の中心角は、約１８０度である。図５及び図７に示すように、指標面２７は、径方向内方に向かうにつれて上方向に傾斜する円錐面であって、環状に形成されている。指標面２７が傾斜していることにより、１６ＣＨ指標リング７の外径を抑えつつも、回転規制溝２６の溝内の内部容積を大きく確保できている。本実施形態において指標面２７には、１６個の目盛りが等間隔に配置されている。図７に示すように、２つの取付脚部２２は、径方向に互いに対向するように配置されている。各取付脚部２２は、リング本体２１から下方向に突出する取付脚部本体２２Ａと、取付脚部本体２２Ａの下端から回転軸Ｃに向かって突出する取付爪部２２Ｂと、を有する。
【００１５】
（ストッパー８）
図８に示すように、ストッパー８は、射出成形品であって、概略リング状に形成されている。詳しくは、ストッパー８は、リング状のストッパー本体３０と、ストッパー本体３０から上方向に突出する第２突出部としての上突出部３１と、ストッパー本体３０から径方向外方に突出する第１突出部としての外突出部３２と、を有する。ストッパー本体３０は、二軸セレクタ５の操作軸１５を挿入可能なシャフト挿入孔３３を有する。
【００１６】
（ツマミスプリング９）
図２及び図３に示すように、ツマミスプリング９は、二軸セレクタ５の内軸１２に装着可能な金属部品である。ツマミスプリング９は、内軸１２に挿入されることで、内軸１２に対して回転不能に取り付けられる。
【００１７】
（１６ＣＨツマミ１０）
図２に示すように、１６ＣＨツマミ１０は、釣鐘状の射出成形品である。図９に示すように、１６ＣＨツマミ１０の下面１０Ａには、周方向に沿って円弧状に延びる回転規制溝３４が形成されている。本実施形態において、回転規制溝３４の中心角は、約２７０度である。
【００１８】
（操作パネル３）
図１０に示すように、操作パネル３の上面３ａには、２つの取付係合部４０と、第２の指標部としての４ＣＨ指標４１と、が配置されている。２つの取付係合部４０は、径方向で回転軸Ｃを挟むように配置されている。各取付係合部４０は、図７に示す１６ＣＨ指標リング７の各取付脚部２２の取付爪部２２Ｂが係合可能な取付凹部４０Ａと、各取付脚部２２を周方向で挟むように配置された回転禁止部としての２つの回転禁止壁部４０Ｂと、を有する。各回転禁止壁部４０Ｂは、取付脚部２２に対して周方向で対向可能に配置されている。本実施形態において、４ＣＨ指標４１は、操作パネル３と一体的に設けられている。４ＣＨ指標４１には、４つの目盛りが等間隔に配置されている。４ＣＨ指標４１は、操作パネル３と一体的に形成することに代えて、操作パネル３と別体として構成し、操作パネル３に対して回転不能に操作パネル３に設けられてもよい。
【００１９】
次に、携帯無線機１の組立方法について説明する。
【００２０】
図２に戻り、先ず、操作パネル３を携帯無線機本体２に取り付ける。このとき、携帯無線機本体２に取り付けられた二軸セレクタ５の操作軸１５が操作パネル３の上面３ａから上方向に突出する。これにより、図３に示す内軸１２は外軸１３よりも操作パネル３から遠くに配置されることになる。
【００２１】
次に、図２に示す４ＣＨツマミ６を二軸セレクタ５に装着する。具体的には、図４に示す４ＣＨツマミ６のシャフト挿入孔１６に図３に示す二軸セレクタ５の操作軸１５を挿入し、４ＣＨツマミ６の２つの対向凸部２０を二軸セレクタ５の外軸１３の２つの外軸縦溝１３Ａに挿入すると共に、２つのツマミ着座面１３Ｂに着座させる。これにより、４ＣＨツマミ６は、二軸セレクタ５の外軸１３と共に回動可能となる。
【００２２】
次に、図２に示す１６ＣＨ指標リング７を操作パネル３に装着する。具体的には、図５に示す１６ＣＨ指標リング７のシャフト挿入孔２５に図３に示す二軸セレクタ５の操作軸１５を挿入し、図７に示す１６ＣＨ指標リング７の２つの取付脚部２２を図４に示す４ＣＨツマミ６の２つの脚部挿入孔１７に挿入すると共に、１６ＣＨ指標リング７の２つの取付脚部２２の取付爪部２２Ｂを図１０に示す２つの取付係合部４０の取付凹部４０Ａにそれぞれ係合させる。これにより、１６ＣＨ指標リング７は操作パネル３に対して軸方向で移動不能となり、もって、４ＣＨツマミ６が操作パネル３に対して軸方向で移動不能に拘束される。また、各取付脚部２２の取付爪部２２Ｂが各取付係合部４０の取付凹部４０Ａに係合した状態において、各取付脚部２２は、周方向において各取付係合部４０の２つの回転禁止壁部４０Ｂによって挟まれている。従って、１６ＣＨ指標リング７が操作パネル３に装着された状態において、１６ＣＨ指標リング７は、操作パネル３に対して回転不能となっている。なお、１６ＣＨ指標リング７を強く上方向に引き上げれば、各取付脚部２２の取付爪部２２Ｂと各取付係合部４０の取付凹部４０Ａとの係合を解除し、１６ＣＨ指標リング７を操作パネル３から取り外すことができるようになっている。
【００２３】
次に、図２に示すストッパー８を１６ＣＨ指標リング７に装着する。具体的には、図８に示すストッパー８のシャフト挿入孔３３に図３に示す二軸セレクタ５の操作軸１５を挿入し、図６に示す１６ＣＨ指標リング７の回転規制溝２６に図８に示すストッパー８の外突出部３２を収容する。これにより、ストッパー８は、１６ＣＨ指標リング７に対して図６に示す回転規制溝２６の中心角に対応した角度範囲だけ相対的に回動可能となる。
【００２４】
次に、図２に示すツマミスプリング９を二軸セレクタ５に装着する。具体的には、ツマミスプリング９を図３に示す二軸セレクタ５の内軸１２の先端に装着する。
【００２５】
次に、図２に示す１６ＣＨツマミ１０を上記のツマミスプリング９を介して二軸セレクタ５の内軸１２に装着する。具体的には、図８に示すストッパー８の上突出部３１を図９に示す１６ＣＨツマミ１０の回転規制溝３４に収容しつつ、１６ＣＨツマミ１０を上記のツマミスプリング９を介して二軸セレクタ５の内軸１２に装着する。これにより、１６ＣＨツマミ１０は、ストッパー８に対して図９に示す回転規制溝３４の中心角に対応した角度範囲だけ相対的に回動可能となる。
【００２６】
従って、以上の構成によれば、１６ＣＨツマミ１０が操作パネル３に対して相対的に回動可能となる角度範囲は、図６に示す回転規制溝２６の中心角及び図９に示す１６ＣＨツマミ１０の回転規制溝３４の中心角によって決定されることになる。従って、１６ＣＨ指標リング７と１６ＣＨツマミ１０のうち何れか又は両方を交換することで、１６ＣＨツマミ１０が操作パネル３に対して相対的に回動可能となる角度範囲を自在に調整することができるようになる。なお、本実施形態において上記角度範囲は、約３３７．５度である。
【００２７】
また、４ＣＨツマミ６が操作パネル３に対して相対的に回動可能となる角度範囲は、図４に示す脚部挿入孔１７の中心角によって決定されている。本実施形態において上記角度範囲は、約９０度である。
【００２８】
次に、携帯無線機１の使用方法を説明する。
【００２９】
前述したように、図１に示す状態で４ＣＨツマミ６及び１６ＣＨツマミ１０は、操作パネル３に対して所定の角度範囲内で回動可能となっており、１６ＣＨ指標リング７は操作パネル３に対して回転不能となっている。４ＣＨツマミ６の径方向外方に配置された４ＣＨ指標４１を参照しながら、４ＣＨ指標４１で示される４個の指標のうち何れかを選択する場合は、操作パネル３に対して４ＣＨツマミ６を回転させて、指示部１９の向きを変えればよい。また、軸方向において１６ＣＨツマミ１０と４ＣＨツマミ６との間に配置された１６ＣＨ指標リング７を参照しながら、１６ＣＨ指標リング７で示される１６個の指標のうち何れかを選択する場合は、操作パネル３に対して１６ＣＨツマミ１０を回転させればよい。
【００３０】
また、１６ＣＨツマミ１０の回動可能となる角度範囲を変更する場合は、先ず、図２に示す１６ＣＨツマミ１０、ツマミスプリング９、ストッパー８、１６ＣＨ指標リング７を二軸セレクタ５からこの順に引き抜く。次に、図６に示す１６ＣＨ指標リング７の回転規制溝２６の中心角と異なる中心角を有する他の指標リング、及び、図９に示す１６ＣＨツマミ１０の回転規制溝３４の中心角と異なる中心角を有する他のツマミ、それにストッパー８及びツマミスプリング９を上記の手順と逆の手順で二軸セレクタ５に装着する。
【００３１】
図２に示すように、上記実施形態において、二重ツマミ構造Ｅは、少なくとも、シャフトとしての操作軸１５、第１のツマミとしての１６ＣＨツマミ１０、第２のツマミとしての４ＣＨツマミ６、第１の指標部としての１６ＣＨ指標リング７を含む。
【００３２】
以上に、好適な実施形態を説明したが、上記実施形態は以下の特徴を有する。
【００３３】
図２に示すように、二重ツマミ構造Ｅは、操作パネル３を挿通し、共通する回転軸Ｃを有する第１のシャフトとしての内軸１２及び第２のシャフトとしての外軸１３を含み、内軸１２は外軸１３よりも操作パネル３から遠くに配置されている、回動操作部品としての二軸セレクタ５のシャフトとしての操作軸１５と、内軸１２に回転不能に取り付けられる第１のツマミとしての１６ＣＨツマミ１０と、外軸１３に回転不能に取り付けられる第２のツマミとしての４ＣＨツマミ６と、操作パネル３に対して回転不能であって、回転軸Ｃの軸方向において１６ＣＨツマミ１０と４ＣＨツマミ６の間に配置され、１６ＣＨツマミ１０のための指標を有する第１の指標部としての１６ＣＨ指標リング７と、を備える。以上の構成によれば、１６ＣＨツマミ１０のための指標が操作パネル３に設けられる場合と比較して、１６ＣＨツマミ１０のための指標が認識し易くなる。
【００３４】
なお、４ＣＨ指標４１は、軸方向において、４ＣＨツマミ６を挟んで１６ＣＨ指標リング７と反対側に配置されている。換言すれば、軸方向において、４ＣＨツマミ６は、１６ＣＨ指標リング７と４ＣＨ指標４１の間に配置されている。
【００３５】
また、図３に示すように、外軸１３には回転軸Ｃの軸方向に延びる縦溝としての２つの外軸縦溝１３Ａが形成されている。図４に示すように、４ＣＨツマミ６には外軸１３の２つの外軸縦溝１３Ａにそれぞれ挿入される凸部としての２つの対向凸部２０が形成されている。１６ＣＨ指標リング７は、操作パネル３に対して回転軸Ｃの軸方向において移動不能に取り付けられている。以上の構成によれば、簡素な構成で、４ＣＨツマミ６を外軸１３に取り付けることができる。
【００３６】
なお、上記実施形態において、外軸１３には２つの外軸縦溝１３Ａが形成され、４ＣＨツマミ６は２つの対向凸部２０を有することとした。しかし、これに代えて、外軸１３にたったひとつの外軸縦溝１３Ａを形成し、４ＣＨツマミ６がたったひとつの対向凸部２０を有することとしてもよい。
【００３７】
また、１６ＣＨ指標リング７は、操作パネル３に対して着脱可能に取り付けられている。以上の構成によれば、１６ＣＨ指標リング７をユーザーが取り替えることができる。
【００３８】
また、図７に示すように、１６ＣＨ指標リング７は、１６ＣＨツマミ１０のための指標が配置される環状の指標部本体としてのリング本体２１と、リング本体２１から操作パネル３に向かって延びると共に、操作軸１５を挟むように配置された２つの取付脚部２２と、を有する。各取付脚部２２は、取付脚部本体２２Ａと、取付脚部本体２２Ａの先端から径方向内方に向かって突出する取付爪部２２Ｂと、を有する。図１０に示すように、操作パネル３には、２つの取付爪部２２Ｂとそれぞれ係合可能な２つの取付係合部４０が形成されている。各取付係合部４０は、各取付脚部２２に対して周方向で対向することで１６ＣＨ指標リング７が操作パネル３に対して相対的に回転するのを禁止する回転禁止部としての２つの回転禁止壁部４０Ｂを有する。以上の構成によれば、簡素な構成で、１６ＣＨ指標リング７が操作パネル３に対して相対的に回転するのを規制することができる。
【００３９】
なお、上記実施形態では、各取付係合部４０が２つの回転禁止壁部４０Ｂを有することとしたが、これに代えて、各取付係合部４０がたったひとつの回転禁止壁部４０Ｂを有することとしてもよい。この場合、一方の取付係合部４０の回転禁止壁部４０Ｂが１６ＣＨ指標リング７の時計回りの回転を禁止し、他方の取付係合部４０の回転禁止壁部４０Ｂが１６ＣＨ指標リング７の反時計回りの回転を禁止するように、各取付係合部４０において回転禁止壁部４０Ｂを配置すればよい。
【００４０】
また、図２に示すように、二重ツマミ構造Ｅは、１６ＣＨツマミ１０が操作パネル３に対して相対的に回動可能となる角度範囲を規制する回転角度規制部としてのストッパー８を更に備えてもよい。図６に示すように、１６ＣＨ指標リング７には、円弧状の回転規制溝２６が形成されている。図９に示すように、１６ＣＨツマミ１０には、円弧状の回転規制溝３４が形成されている。図８に示すように、ストッパー８は、１６ＣＨ指標リング７と１６ＣＨツマミ１０の間に配置され、１６ＣＨ指標リング７の回転規制溝２６に収容される第１突出部としての外突出部３２と、１６ＣＨツマミ１０の回転規制溝３４に収容される第２突出部としての上突出部３１と、を有する。ストッパー８は、操作軸１５に対して回転自在に取り付けられている。以上の構成によれば、１６ＣＨツマミ１０が操作パネル３に対して相対的に回動可能となる角度範囲は、１６ＣＨ指標リング７の回転規制溝２６の中心角と、１６ＣＨツマミ１０の回転規制溝３４の中心角と、によって決まる。従って、１６ＣＨ指標リング７とストッパー８との両方を交換することで、１６ＣＨツマミ１０が操作パネル３に対して相対的に回動可能となる角度範囲を自在に調整することができるようになる。また、１６ｃｈ指標リング１０は、指標の印字を１６ｃｈツマミ１０が選択可能な範囲となるような印字とした部品と交換してもよい。
【００４１】
以上に説明した実施形態は、例えば以下のように変更できる。
【００４２】
二重ツマミ４により回動操作される部品は、二軸のロータリースイッチに限らず、二軸の可変抵抗器であったり、また電気関係以外の気圧や液体流量の調整や制御を回動操作により行う回動操作部品であればよい。
【符号の説明】
【００４３】
１  携帯無線機
２  携帯無線機本体
３  操作パネル
３ａ  上面
４  二重ツマミ
５  二軸セレクタ
６  ４ＣＨツマミ
７  １６ＣＨ指標リング
８  ストッパー
９  ツマミスプリング
１０  １６ＣＨツマミ
１０Ａ  下面
１１  セレクタ本体
１２  内軸
１２Ａ  内軸縦溝
１３  外軸
１３Ａ  外軸縦溝
１３Ｂ  ツマミ着座面
１４  端子
１５  操作軸
１６  シャフト挿入孔
１７  脚部挿入孔
１８  操作部
１９  指示部
２０  対向凸部
２１  リング本体
２１ａ  上面
２２  取付脚部
２２Ａ  取付脚部本体
２２Ｂ  取付爪部
２５  シャフト挿入孔
２６  回転規制溝
２７  指標面
３０  ストッパー本体
３１  上突出部
３２  外突出部
３３  シャフト挿入孔
３４  回転規制溝
４０  取付係合部
４０Ａ  取付凹部
４０Ｂ  回転禁止壁部
４１  ４ＣＨ指標
Ｃ  回転軸
Ｅ  二重ツマミ構造
【図１】
2018160332.tif 000003
【図２】
2018160332.tif 000004
【図３】
2018160332.tif 000005
【図４】
2018160332.tif 000006
【図５】
2018160332.tif 000007
【図６】
2018160332.tif 000008
【図７】
2018160332.tif 000009
【図８】
2018160332.tif 000010
【図９】
2018160332.tif 000011
【図１０】
2018160332.tif 000012